(57)【特許請求の範囲】
【請求項１】
バルコニー下地上に、防水シートが被覆されてなるバルコニー構造であって、
バルコニー下地周縁のパラペット部には、適宜の間隔を存して手摺り壁固定部材が固定され、これら手摺り壁固定部材には、掃き出し窓の跨ぎ高さよりも低い高さで防水鋼板が被覆されてなり、
防水鋼板の端部は、バルコニー外壁に周設されるパラペット見切材によってバルコニー外壁に固定されてなり、
パラペット見切材は、部分的に防水鋼板の端部をバルコニー外壁に固定するようになされるとともに、この固定部位以外の部位で防水鋼板との間に、間隙を形成するようになされたことを特徴とするバルコニー構造。
【発明の詳細な説明】
【０００１】
【発明の属する技術分野】
本発明は、シート防水構造のバルコニーに関するものである。
【０００２】
【従来の技術】
一般に、バルコニー下地上に、防水シートが被覆されてなるバルコニー構造が知られている。
【０００３】
従来より、図５に示すように、このようなバルコニーａとしては、例えば、成形鋼板ｂに防水シートｃを貼り合わせた防水鋼板ユニットｄを、バルコニー下地ｅ上に敷設して構成していた。この際、バルコニーａの周縁のパラペット部ｆは、梁ｇ上に設けたパラペットフレームｈの外側に外壁パネルｉを設け、パラペットフレームｈの内側に防水鋼板ユニットｄを設け、これらパラペットフレームｈ、外壁パネルｉおよび防水鋼板ユニットｄの上方から笠木ｊを被覆し、この笠木ｊ上に手摺り壁ｋを施工するようになされていた。
【０００４】
【発明が解決しようとする課題】
しかし、上記従来のように、梁ｇ上にパラペットフレームｈを設けるバルコニーａの場合、手摺り壁ｋの下の外壁パネルｉの部分が大きくなってしまう。したがって、バルコニーａの排水路ｍで処理できない程の大雨や排水路ｍが詰まってしまうと、バルコニーａに雨水が溜まってしまうことになる。そのため、手摺り壁ｋの下の外壁パネルｉの部分に防水鋼板ユニットｄからパラペットフレームｈおよび外壁パネルｉを貫通してドレイン管ｎを設けなければならず、施工が煩わしくなってしまう。
【０００５】
また、ドレイン管ｎを設けても、このドレイン管ｎが詰まってしまうと、バルコニーａに溜まった雨水が、掃き出し窓ｏを介して室内に浸入するといったことが懸念される。特に最近では、バルコニーａに面する掃き出し窓ｏの跨ぎ高さｐをできるだけ小さくしてバリアフリー化を図ることが行われているため、バルコニーａに雨水が溜まり出すと、室内に浸入し易くなる。
【０００６】
さらに、手摺り壁ｋの下の外壁パネルｉの部分が大きくなってしまうので、バルコニーａの外観上、手摺り壁ｋが小さくなってしまうといった不都合を生じることとなる。
【０００７】
本発明は、係る実情に鑑みてなされたものであって、ドレイン管を設けることなく、手摺り壁の下の外壁部分を小さくすることができるバルコニー構造を提供することを目的としている。
【０００８】
【課題を解決するための手段】
上記課題を解決するための本発明のバルコニー構造は、バルコニー下地上に、防水シートが被覆されてなるバルコニー構造であって、バルコニー下地周縁のパラペット部には、適宜の間隔を存して手摺り壁固定部材が固定され、これら手摺り壁固定部材には、掃き出し窓の跨ぎ高さよりも低い高さで防水鋼板が被覆されてなり、防水鋼板の端部は、バルコニー外壁に周設されるパラペット見切材によってバルコニー外壁に固定されてなり、パラペット見切材は、部分的に防水鋼板の端部をバルコニー外壁に固定するようになされるとともに、この固定部位以外の部位で防水鋼板との間に、間隙を形成するようになされたものである。
【０００９】
この構成により、バルコニーに大量の雨水が溜まった場合、雨水は、パラペット部からオーバーフローしてパラペット見切材と、防水鋼板との間の間隙を通過してバルコニー外壁に沿って流れ落ちることとなる。
【００１０】
【発明の実施の形態】
以下、本発明の実施の形態を図面を参照して説明する。
【００１１】
図１はバルコニー１を設けた共同住宅１０の一部分を示し、図２は同バルコニー１の全体構成の概略を示し、図３は同バルコニー１の要部を示している。
【００１２】
すなわち、このバルコニー１構造は、バルコニー下地２上に防水シートユニット３が被覆されてなり、バルコニー下地２周縁のパラペット部１１に固定された手摺り壁固定部材４が、防水鋼板５で被覆され、この防水鋼板５の端部が、パラペット見切材６によってバルコニー外壁７に固定されるようにされている。
【００１３】
バルコニー下地２は、梁２１上にＡＬＣ板２２を載せて構成されている。
【００１４】
防水シートユニット３は、ポリスチレンフォーム３１上に不燃ボード３２、防水シート３０を貼設し、あらかじめユニット化された状態に構成されている。このうち、ポリスチレンフォーム３１には、傾斜勾配が設けられ、施工状態で掃き出し窓８側から手摺り壁９側へと下り勾配が得られるようになされている。
【００１５】
手摺り壁固定部材４は、図４に示すように、バルコニー下地２周縁のパラペット部１１に露出した梁２１上に、パラペット部１１の土台となる部分を構成するパラペット基台部４１と、このパラペット基台部４１上に延設され、手摺り壁９の縦桟９１の芯材を構成する手摺り壁フレーム部４２とからなる。この手摺り壁固定部材４は、バルコニー下地２周縁のパラペット部１１に露出した梁２１に、適宜の間隔を存して複数個がそれぞれボルトナット４３によって固定される。
【００１６】
防水鋼板５は、バルコニー１のパラペット部１１内側の防水シートユニット３と重ね合わされ、上記手摺り壁固定部材４のパラペット基台部４１を被覆し、バルコニー外壁７の端面に至って設けられる防水下地レール５１と、バルコニー外壁７の端面から表面に至って設けられる笠木鋼板５２と、防水シートユニット３から笠木鋼板５２にいたって被覆される防水シート５３とからなる。防水下地レール５１は、パラペット部１１の内側の立ち上がり部分において、防水シートユニット３とともに、手摺り壁固定部材４のパラペット基台部４１にビス５４で固定される。また、防水下地レール５１は、パラペット部１１の天端面において、手摺り壁固定部材４のパラペット基台部４１にビス５４で固定され、かつ、笠木鋼板５２とともにバルコニー外壁７の端面にビス５５で固定される。この固定状態で、防水シート５３は、防水シートユニット３の床面からパラペット部１１の内側の立ち上がり部分を経てパラペット部１１の天端面にかけて被覆される。この防水鋼板５により、バルコニー１は、パラペット部１１の内側の防水シートユニット３からパラペット部１１の外側のバルコニー外壁７に至るまで防水が連続するようになされている。なお、この固定状態で、防水鋼板５が、掃き出し窓８の跨ぎ高さＨよりも低くなるように、手摺り壁固定金具４は、あらかじめパラペット基台部４１が低く設定されたものが用いられる。
【００１７】
バルコニー外壁７は、手摺り壁固定部材４のパラペット基台部４１の外側に当接した状態で、このバルコニー外壁７にボルト固定される金具７１によって、パラペット基台部４１に係止固定される。
【００１８】
パラペット見切材６は、笠木鋼板５２の端部を被覆するように設けられ、バルコニー１のパラペット部１１の外周縁のバルコニー外壁７にビス６１で固定される。この際、パラペット見切材６と笠木鋼板５２との間には、部分的にスペーサ６２が設けられ、パラペット見切材６と笠木鋼板５２との間に、間隙Ｄが形成されるようになされている。これにより、バルコニー１に大量の雨水が溜まった場合であっても、パラペット部１１をオーバーフローして、この間隙Ｄからバルコニー外壁７を伝って流れ落ちることとなる。そのため、パラペット見切材６の下端部には水抜き孔（図示省略）が設けられている。
【００１９】
このようにして構成されるバルコニー１は、掃き出し窓８の跨ぎ高さＨよりも、パラペット部１１を低くしているので、バルコニー１に大量の雨水が溜まった場合であっても、掃き出し窓８から屋内へと浸入するのを防止できる。
【００２０】
また、このようにバルコニー１に大量の雨水が溜まった場合、パラペット見切材６と笠木鋼板５２との間隙Ｄからバルコニー外壁７を伝って排水させることができるので、ドレイン管（図示省略）を別途に設けるといった施工の煩わしさも無くなる。
【００２１】
さらに、パラペット部１１を低くすることができることで、バルコニー外壁７が大きくなるのを防止して、逆に手摺り壁９を大きくすることができるので、バルコニー１の外観のデザイン的自由度を高め、意匠性の向上を図ることができる。
【００２２】
なお、本実施の形態において、防水シートユニット３は、ポリスチレンフォーム３１と不燃ボード３２と防水シート３０とがユニット化されているが、これらポリスチレンフォーム３１と不燃ボード３２と防水シート３０とがユニット化されておらず、現場で個々に施工するようになされたものであってもよい。
【００２３】
【発明の効果】
以上述べたように、本発明によると、バルコニーに溜まる大量の雨水は、パラペット部から、パラペット見切材と、防水鋼板との間隙を介してオーバーフローさせることができるので、掃き出し窓から居室に雨水が浸入するといったことを防止することができる。
【００２４】
また、パラペット部自体を低くして雨水をオーバーフローさせるので、従来のようにパラペット部にドレイン管を施工する手間を無くして施工の省力化を図ることができる。
【００２５】
さらに、パラペット部を低くすることにより、バルコニー外壁を小さくして手摺り壁を大きくすることができるので、バルコニーの外観のデザイン的自由度を高め、意匠性の向上を図ることができる。
【図面の簡単な説明】
【図１】本発明に係るバルコニー構造を有する共同住宅を示す正面図である。
【図２】図１におけるI-I 線断面図である。
【図３】（ａ）および（ｂ）は、それぞれ図２の部分拡大図である。
【図４】手摺り壁固定部材の施工状態を示す部分分解斜視図である。
【図５】従来のバルコニー構造を示す断面図である。
【符号の説明】
１  バルコニー
１１  パラペット部
２  バルコニー下地
３０  防水シート
４  手摺り壁固定部材
５  防水鋼板
６  パラペット見切材
７  バルコニー外壁
８  掃き出し窓
９  手摺り壁
Ｄ  間隙
Ｈ  跨ぎ寸法
【図１】
0003802323.tif 000002
【図２】
0003802323.tif 000003
【図３】
0003802323.tif 000004
【図４】
0003802323.tif 000005
【図５】
0003802323.tif 000006